(57)【特許請求の範囲】
【請求項１】
主カーテンと、前記主カーテンのレール長手方向の前方又は後方に、前記主カーテンより丈の短いガイド用カーテンと、を備えたカーテンの開閉装置であって、前記主カーテンと前記ガイド用カーテンを走行させるランナーとして、紐体を通すための孔が設けられているものを用い、前記孔に前記紐体を通し、前記主カーテンと前記ガイド用カーテンとの結び点に前記紐体を結び、前記紐体の末端を巻き取り又は繰り出して前記主カーテンと前記ガイド用カーテンとを開閉させるようにしたカーテン開閉装置。
【請求項２】
紐体を通すための孔が、ランナーの車軸とリング取付部との間の中間部に設けられている、請求項１記載のカーテン開閉装置。
【請求項３】
紐体の末端を、滑車を介して引張り、紐体を巻き取り又は繰り出すようにした、請求項１又は２記載のカーテン開閉装置。
【発明の詳細な説明】
【技術分野】
【０００１】
本発明は、カーテンを開閉させる装置に関し、特に病院や介護福祉施設などの室内用カーテンに用いるのに好適なカーテン開閉装置に関する。
【背景技術】
【０００２】
カーテンは様々な場所で様々な形のものが用いられている。例えば、病室などでは、患者のプライバシーを保護したりする見地から、入院患者のベッドの周囲を囲むようにしたカーテン（遮蔽カーテン）が用いられている。
病気加療中の入院患者の室内における、それぞれのベッドを囲むカーテンは、主に付き添い者又は看護士の手によって開閉されているが、付き添い者又は看護士が不在の場合には、患者自身の手で開閉する必要がある。
【０００３】
しかしながら、寝たきりの患者や、やっと起きることができる程度の重症患者にとっては、カーテンの開閉はかなりの重労働であるばかりか、カーテンを破いたりすることもあり、改善が要望されていた。また、入院患者のベッドの周囲を囲むようにカーテンが設けられており、しかも巻き取り又は繰り出し用の紐体が直接ランナーにくくり取り付けられているので、紐体を巻き取るときに、紐体がカーテンレールから外れてしまうおそれがあった。また、この外れを防止するために、途中にガード機構を設けたりすると、カーテンが動かなくなってしまうという問題があった。
【０００４】
一方、例えば特許文献１に示されるように、電動式のカーテン開閉装置も提案されている。
しかしながら、この場合、カーテンレール内にラックを張り巡らせる必要があり、大掛かりな改造工事が必要であった。
【０００５】
【特許文献１】特開２００１−２２４４９０号公報
【発明の開示】
【発明が解決しようとする課題】
【０００６】
本発明は、上記したような従来の課題を解決し、巻き取り又は繰り出し用の紐体がカーテンレールから外れたりすることなく、手動で容易に、開閉することのできるカーテン開閉装置を提供することを目的とするものである。
さらに、本発明は、通常のカーテンに極めて簡単な改造を施すだけでよく、大掛かりな改造工事を必要とすることのない、カーテン開閉装置を提供することを目的とするものである。
【課題を解決するための手段】
【０００７】
請求項１に係る本発明は、主カーテンと、前記主カーテンのレール長手方向の前方又は後方に、前記主カーテンより丈の短いガイド用カーテンと、を備えたカーテンの開閉装置であって、前記主カーテンと前記ガイド用カーテンを走行させるランナーとして、紐体を通すための孔が設けられているものを用い、前記孔に前記紐体を通し、前記主カーテンと前記ガイド用カーテンとの結び点に前記紐体を結び、前記紐体の末端を巻き取り又は繰り出して前記主カーテンと前記ガイド用カーテンとを開閉させるようにしたカーテン開閉装置を提供するものである。
請求項２に係る本発明は、紐体を通すための孔が、ランナーの車軸とリング取付部との間の中間部に設けられている、請求項１記載のカーテン開閉装置を提供するものである。
請求項３に係る本発明は、紐体の末端を、滑車を介して引張り、紐体を巻き取り又は繰り出すようにした、請求項１又は２記載のカーテン開閉装置を提供するものである。
【発明の効果】
【０００８】
本発明のカーテン開閉装置によれば、巻き取り又は繰り出し用の紐体がカーテンレールから外れたりすることなく、手動で容易に、開閉することができる。
さらに、本発明のカーテン開閉装置によれば、通常のカーテンに極めて簡単な改造を施すだけでよく、大掛かりな改造工事を必要とすることのない、カーテン開閉装置が提供される。
【発明を実施するための最良の形態】
【０００９】
請求項１に係る本発明は、カーテン開閉装置に関し、紐体を巻き取り又は繰り出してカーテンを開閉させるカーテン開閉装置において、主カーテンの前方又は後方に、主カーテンより丈の短いガイド用カーテンを備えたことを特徴とするものである。
【００１０】
以下、本発明を図面により詳しく説明する。
図１は、請求項１に係る本発明のカーテン開閉装置の１態様を示す説明図（平面図）であり、図２は、請求項１に係る本発明のカーテン開閉装置における、主カーテン１とガイド用カーテン２とを示す一部省略説明図である。図中、符号３はカーテン開閉用の紐体であって、３Ａはこの紐体の一方の端部を指し、３Ｂはこの紐体の他方の端部を指している。
【００１１】
請求項１に係る本発明のカーテン開閉装置は、主カーテン１の前方又は後方に、主カーテン１より丈の短いガイド用カーテン２が備えられている。図中、符号４は、主カーテン１とガイド用カーテン２の結び点である。
ガイド用カーテン２の長さ（横幅）は、主カーテン１の長さ（横幅）と同じ長さとする。例えば、主カーテン１の長さ（横幅）が５ｍの場合には、ガイド用カーテン２の長さ（横幅）も５ｍとする。但し、場合によっては、多少前後させてもよい。
また、ガイド用カーテン２の丈（縦の長さ）は、少なくとも主カーテン１より丈の短いことが必要である。ガイド用カーテン２の丈（縦の長さ）は、少なくとも主カーテン１の丈より短ければよく、特に限定されないが、開閉にかかる力をできるだけ小さくするため、８〜１０ｃｍ程度とすることが好ましい。
【００１２】
次に、図３は、本発明のカーテン開閉装置に用いるのに好適なランナー５の１態様を示す正面図であり、図４は側面図である。
本発明においては、請求項２に記載したように、主カーテン１とガイド用カーテン２を走行させるランナー５として、紐体３を通すための孔６が設けられているものを用い、前記孔６に紐体３を通し、前記紐体３を巻き取り又は繰り出してカーテン（主カーテン１とガイド用カーテン２）を開閉させることにより、極めて簡単な改造を施すだけで、手動で容易に、開閉することができる。
なお、このような改造をランナー５に施しておくと、場合によっては、ガイド用カーテン２そのものを省略することも可能となる。
【００１３】
即ち、請求項３に記載したように、紐体３を通すための孔６を、市販のランナー５の車軸７とリング取付部８との間の中間部９に設けるだけでよい。なお、符号１０は、カーテンのフックを（図示していない）引っ掛けるためのリングである。
図５は、このようなランナー５がカーテンレール１１内に収容されている状態を示す説明図である。
このような紐体３を通すための孔６が設けられているランナー５を用い、前記孔６に紐体３を通し、この紐体３を巻き取り又は繰り出してカーテン（主カーテン１とガイド用カーテン２）を開閉させることにより、手動で容易に、カーテンを開閉することができる。
このとき紐体３は、ランナー５を介してカーテンレール１１内乃至はその直下にあることから、外部からは見えにくくなっており、外観を損なうおそれもない。
【００１４】
なお、図６に示すように、紐体３の末端を、滑車１３を介して引張るようにすると、カーテンの開閉をより容易に行うことができる。図６は、上下２段構造となっているカーテンレール１１末端の外側に滑車３を配置した例を示す説明図である。
請求項４に係る発明は、紐体３の末端を、滑車１３を介して引張り、紐体３を巻き取り又は繰り出すようにした、請求項１〜３のいずれかに記載のカーテン開閉装置を提供するものである。
即ち、一方の紐体３、図６では下側の紐体３の末端を第１の滑車１３Ａを介して下側に引き、また、他方の紐体３、図６では上側の紐体３の末端を第２の滑車１３Ｂと第３の滑車１３Ｃとを介して下側に引くようにしたものを示しているが、滑車の配置の仕方はこれに限定されるものではなく、第３の滑車１３Ｃを省略することもできる。また、第１の滑車１３Ａを２つの滑車とすることもできる。
一方の紐体３、図６では下側の紐体３は、ランナー５の孔６を貫通し、カーテンレール１１の下側部分の内部、乃至はその直下を通り、カーテンレール１１の外側に出た後、第１の滑車１３Ａを介して下側に引かれている。また、他方の紐体３、図６では上側の紐体３は、カーテンレール１１の上側部分の内部を通り、カーテンレール１１の外側に出た後、第２の滑車１３Ｂにより一端上側に引かれた後、第３の滑車１３Ｃにより下側に引かれている。
なお、各滑車の直径は、通常、２０〜５０ｍｍであるが、通常、各滑車の直径に若干の差を付けておくとよい。例えば、第１の滑車１３Ａの直径は４０ｍｍ前後、第２の滑車１３Ｂの直径は２５ｍｍ前後、第３の滑車１３Ｃの直径は３０ｍｍ前後とすると、引く力を軽減することができる。
【００１５】
さらに、ランナー５内を通っている紐体３がフック１２に絡むのをより防ぐために、フック１２の形状を工夫したり、或いは、図７に示すように、各フック１２の外側にマジックテープなどで主カーテン１などに固定するようにした、絡み防止用袋１４をそれぞれ取り付けるようにすることもできる。図７は、フック１２の外側に絡み防止袋１４を取り付けた状態を示す説明図である。この絡み防止用袋１４は、袋状の布の外側に面ファスナー［例えば、マジックテープ（登録商標）］などの固着乃至接着手段を設けて、フック１２を覆いつつ、主カーテン１又はガイド用カーテン２に固定するようにしたものである。
【００１６】
カーテンの開閉は、手動だけでなく、電動とすることもできる。電動とする場合には、モーターとリモートコントローラーなどからなる公知の電動式自動開閉機構を用いればよい。また、手動の場合には、ハンドルを用いた手動式とすることもできる。なお、手動とする場合には、開閉時にかかる力を軽減させるため、二重の紐体（二重ロープ）を用いるとよい。
また、紐体３の端部（３Ａ、３Ｂ）を患者が寝ている位置の近くとすれば、患者が寝ながら開閉操作をすることができる。
【００１７】
なお、主カーテン１のピッチ、つまりカーテンのフック１２の設置間隔は、通常、等間隔とするが、カーテンレール１１が曲がって設置されているところでは、その間隔が狭くなるようにしておくことが望ましい。その反対に、カーテンレール１１が直線上に設置されているところでは、その間隔が広くなるようにしておくことが望ましい。
また、ガイド用カーテン２のピッチは、横引張力を防止するため、主カーテン１のピッチより小さくしておくことが好ましい。好ましくは、ガイド用カーテン２のピッチは、１００〜１４０ｍｍ程度、より好ましくは１２０ｍｍ前後とする。
上記カーテンのフックを、ランナー５に係止すればよい。
【００１８】
本発明のカーテン開閉装置は、以上の如き構成からなるものである。
このような本発明のカーテン開閉装置を用いると、まず主カーテン１について、紐体３の端部（３Ａ、３Ｂ）のいずれか一方を引いて、例えばベッドの回りを覆うように動かし、主カーテン１でベッドの回りを覆うようにすると、ガイド用カーテン２は畳まれた状態となる。一方、主カーテン１が畳まれるように動かし、主カーテン１が畳まれた状態とすると、ガイド用カーテン２がベッドの回りを覆うことになる。このとき、ガイド用カーテン２は極めて丈が短いことから、邪魔となったり、視界を遮ったりすることがなく、ベッドの回りは開かれた状態となる。
【００１９】
本発明のカーテン開閉装置は、ガイド用カーテン２が備えられており、このガイド用カーテン２が案内役となる。このため、開閉させる全体のカーテンの長さは長くなるものの、ガイド用カーテン２の分だけの負荷が開閉時にかかることから、曲線部分などで外れたりすることがない。
従って、本発明のカーテン開閉装置によれば、巻き取り又は繰り出し用の紐体３がカーテンレール１１から外れたりすることなく、手動で容易に、開閉することができる。
さらに、本発明のカーテン開閉装置によれば、通常のカーテンに極めて簡単な改造を施すだけでよく、大掛かりな改造工事を必要とすることのない、カーテン開閉装置が提供される。
それ故、本発明のカーテン開閉装置は、病院や介護福祉施設などの室内用カーテンとして有効に用いることができる。
【図面の簡単な説明】
【００２０】
【図１】請求項１に係る本発明のカーテン開閉装置の１態様を示す説明図である。
【図２】請求項１に係る本発明のカーテン開閉装置における、主カーテン１とガイド用カーテン２とを示す一部省略説明図である。
【図３】カーテン開閉装置に用いるのに好適なランナー５の１態様を示す正面図である。
【図４】カーテン開閉装置に用いるのに好適なランナー５の１態様を示す側面図である。
【図５】ランナー５がカーテンレール１１内に収容されている状態を示す説明図である。
【図６】上下２段構造となっているカーテンレール１１末端の外側に滑車３を配置した例を示す説明図である。
【図７】フック１２の外側に絡み防止用袋１４を取り付けた状態を示す説明図である。
【符号の説明】
【００２１】
１  主カーテン
２  ガイド用カーテン
３  カーテン開閉用の紐体
３Ａ  紐体の一方の端部
３Ｂ  紐体の他方の端部
４  主カーテン１とガイド用カーテン２の結び点
５  ランナー
６  孔
７  車軸
８  リング取付部
９  中間部
１０  リング
１１  カーテンレール
１１Ａ  カーテンレールの上側部分
１１Ｂ  カーテンレールの下側部分
１２  フック
１３  滑車
１３Ａ  第１の滑車
１３Ｂ  第２の滑車
１３Ｃ  第３の滑車
１４  絡み防止用袋
【図１】
0004723973.tif 000002
【図２】
0004723973.tif 000003
【図３】
0004723973.tif 000004
【図４】
0004723973.tif 000005
【図５】
0004723973.tif 000006
【図６】
0004723973.tif 000007
【図７】
0004723973.tif 000008